(57)【要約】【解決手段】  第１のアンテナ導体と第１の給電点とを有し、所定の周波数帯の放送波を受信する第１アンテナと、第２のアンテナ導体と第２の給電点とを有し、ノイズ源からのノイズを受信する第２アンテナと、前記第１アンテナで得た受信信号から前記第２アンテナで得たノイズ信号をキャンセルするキャンセル装置とを有し、前記所定の周波数帯の放送波の電波は、前記第１アンテナと前記第２アンテナに同等に到達し、前記第２アンテナで受信された前記所定の周波数帯の受信利得は、前記第１アンテナで受信された前記所定の周波数帯の受信利得よりも低く、前記第１アンテナで受信されたノイズの出力と前記第２アンテナで受信されたノイズの出力とが同等になるように調整される、アンテナシステム。
2015093490.tif 000002
【特許請求の範囲】
【請求項１】
第１のアンテナ導体と第１の給電点とを有し、所定の周波数帯の放送波を受信する第１アンテナと、
第２のアンテナ導体と第２の給電点とを有し、ノイズ源からのノイズを受信する第２アンテナと、
前記第１アンテナで受信された受信信号から前記第２アンテナで受信されたノイズ信号をキャンセルするキャンセル装置と、を有し、
前記所定の周波数帯の放送波の電波が同等に到達する位置に、前記第１アンテナと前記第２アンテナを設け、
前記第２アンテナで受信された前記所定の周波数帯の受信利得は、前記第１アンテナで受信された前記所定の周波数帯の受信利得よりも低く、前記第１アンテナで受信されたノイズの出力と前記第２アンテナで受信されたノイズの出力とが同等になるように調整される、アンテナシステム。
【請求項２】
前記第１アンテナと前記第２アンテナは、車両のボディに形成された窓開口部に設置された窓ガラスに設けられ、
前記ノイズ源は、前記窓ガラスの近傍に設けられる、請求項１に記載のアンテナシステム。
【請求項３】
前記第２アンテナは、前記第１アンテナよりも前記ボディに近い位置に設けられている、請求項２に記載のアンテナシステム。
【請求項４】
前記第２のアンテナ導体の導体長は、前記第１のアンテナ導体の導体長よりも短い、請求項１〜３のいずれか１項に記載のアンテナシステム。
【請求項５】
前記第２のアンテナ導体の導体長は、前記第１のアンテナ導体の導体長の５０％以下である、請求項４に記載のアンテナシステム。
【請求項６】
前記第２アンテナの前記受信利得が前記第１アンテナの前記受信利得よりも５ｄＢ以上低い、請求項１〜５のいずれか１項に記載のアンテナシステム。
【請求項７】
前記第２アンテナは、前記第１アンテナよりも前記ノイズ源に近い位置に設置されている、請求項１〜６のいずれか１項に記載のアンテナシステム。
【請求項８】
前記ノイズ源は、ノイズ発生装置を有し、
前記第２アンテナは、前記第１アンテナよりも前記ノイズ発生装置に近い位置に設置されている、請求項７に記載のアンテナシステム。
【請求項９】
前記ノイズ源は、出力ケーブルを有し、
前記第２アンテナは、前記第１アンテナよりも前記出力ケーブルに近い位置に設置されている、請求項７又は８に記載のアンテナシステム。
【請求項１０】
前記第２アンテナは、前記出力ケーブルと平面視で重なる位置にある、請求項９に記載のアンテナシステム。
【請求項１１】
前記第２のアンテナ導体は、線幅が太い部分と細い部分を含む、請求項１〜１０のいずれか１項に記載のアンテナシステム。
【請求項１２】
前記キャンセル装置が、前記第１アンテナの前記受信信号と前記第２アンテナの前記受信信号の少なくとも一方を制御することで、
前記第１アンテナで受信されたノイズの出力と前記第２アンテナで受信されたノイズの出力とが同等になるように調整される、請求項１〜１１のいずれか１項に記載のアンテナシステム。
【請求項１３】
前記キャンセル装置は、前記第１アンテナから出力された放送波の信号及びノイズと、位相を反転させた前記第２アンテナから出力された放送波の信号及びノイズと、を合成させることで、外部へノイズが減少した放送波の合成信号を出力する、請求項１〜１２のいずれか１項に記載のアンテナシステム。
【請求項１４】
前記所定の周波数帯は、１５０ｋＨｚ以上３００ＭＨｚ以下に含まれる帯域である、請求項１〜１３のいずれか１項に記載のアンテナシステム。
【発明の詳細な説明】
【技術分野】
【０００１】
本発明は、自動車等の車両に搭載されるアンテナシステムに関する。
【背景技術】
【０００２】
エンジンとモータとを併用するいわゆるハイブリッド車や電気自動車では、モータやインバータ等の電子機器が搭載されている。このような電子機器から放射されたノイズは、ＭＦ（Ｍｅｄｉｕｍ  Ｆｒｅｑｕｅｎｃｙ）帯又はＬＦ（Ｌｏｗ  Ｆｒｅｑｕｅｎｃｙ）帯の電波に影響を与えるため、アンテナのＭＦ帯又はＬＦ帯の電波の受信性能が低下する場合がある。【０００３】
車両内のノイズ源から放射されたノイズにより発生する受信障害を対策する技術として、例えば特許文献１が知られている。特許文献１には、放送信号の受信障害に対する技術が開示されている。【０００４】
特許文献１では、放送波が到達しやすい位置に配置された放送波受信用のアンテナ（放送波アンテナ）に対して、放送波が到達しづらい場所である車体の底部にノイズ検出用のアンテナ（ノイズ検知アンテナ）を設けることで、放送波アンテナに対する車内のノイズを除去する技術が開示されている。
【先行技術文献】
【特許文献】
【０００５】
【特許文献１】日本国特開２０１３−１６８７４４号公報
【発明の概要】
【発明が解決しようとする課題】
【０００６】
しかしながら、特許文献１の技術では、ノイズ検知アンテナを放送波が到達しづらい位置に設置する必要があるため、放送波アンテナを設ける場所と同等に放送波が到達する位置には、ノイズ検知アンテナを設けることができなかった。【０００７】
そこで本発明では、放送波アンテナを設ける場所と同等に放送波が到達する位置にノイズ検知アンテナを設け、ノイズ源からのノイズによって放送波アンテナが受信した放送波の受信性能が低下することを抑制できる、アンテナシステムの提供を目的とする。
【課題を解決するための手段】
【０００８】
上記目的を達成するため、本発明の一態様として
第１のアンテナ導体と第１の給電点とを有し、所定の周波数帯の放送波を受信する第１アンテナと、
第２のアンテナ導体と第２の給電点とを有し、ノイズ源からのノイズを受信する第２アンテナと、
前記第１アンテナで受信された受信信号から前記第２アンテナで受信されたノイズ信号をキャンセルするキャンセル装置と、を有し、
前記所定の周波数帯の放送波の電波が同等に到達する位置に、前記第１アンテナと前記第２アンテナを設け、
前記第２アンテナで受信された前記所定の周波数帯の受信利得は、前記第１アンテナで受信された前記所定の周波数帯の受信利得よりも低く、前記第１アンテナで受信されたノイズの出力と前記第２アンテナで受信されたノイズの出力とが同等になるように調整される、アンテナシステムが提供される。
【発明の効果】
【０００９】
本発明の一態様によれば、放送波アンテナを設ける場所と同等に放送波が到達する位置にノイズ検知アンテナを設け、ノイズ源からのノイズによって放送波アンテナが受信した放送波の受信性能が低下することを抑制できる。
【図面の簡単な説明】
【００１０】
【図１】本発明のアンテナシステムの構成を説明するための概要図である。
【図２】本発明の第１実施形態であるアンテナシステムが設置された車両の窓ガラス周辺の構成例を模式的に示した図である。
【図３】図２の合成アンプの第１の構成例を示した図である。
【図４】図２の合成アンプの第２の構成例を示した図である。
【図５】図２の合成アンプの第３の構成例を示した図である。
【図６】図２の合成アンプの第４の構成例を示した図である。
【図７】本発明の第２実施形態であるアンテナシステムが設置された車両の窓ガラス周辺の構成例を模式的に示した図である。
【図８】本発明の第２実施形態の変形例であるアンテナシステムが設置された車両の窓ガラス周辺の構成例を模式的に示した図である。
【図９Ａ】導体長に対する出力電圧変化の実測値を示すグラフである。
【図９Ｂ】第２アンテナと第１アンテナとの受信電圧の差が５ｄＢになるピックアップアンテナの長さを示すグラフである。
【図９Ｃ】図９Ｂの第２アンテナの導体長を％表示に変換したグラフである。
【図１０】第１アンテナの導体長に対する第１アンテナと第２アンテナとの合成出力を示すグラフである。
【図１１】第２アンテナ２０のノイズ源９０からの距離と相関係数及び電界の関係を示す図である。
【図１２Ａ】車外から飛んできた電波について第１アンテナで受信した受信電圧波形を示すグラフである。
【図１２Ｂ】車外から飛んできた電波について第２アンテナで受信した受信電圧波形を示すグラフである。
【図１２Ｃ】図１２Ａと図１２Ｂとの電圧に基づき、合成した電圧波形を示すグラフである。
【発明を実施するための形態】
【００１１】
（第１実施形態）
以下、図面を参照しながら、本発明を実施するための形態の説明を行う。なお、形態を説明するための図面において、方向について特に記載のない場合には図面上での方向をいうものとし、各図面の基準の方向は、記号、数字の方向に対応する。また、平行、直角などの方向は、本発明の効果を損なわない程度のズレを許容するものである。また、本発明が適用可能な窓ガラスとして、例えば、車両の前部に取り付けられるフロントガラス、車両の後部に取り付けられるリヤガラス、車両のサイド部に取り付けられるサイドガラス、車両の天井部に取り付けられるルーフガラスなどが挙げられる。
【００１２】
図１は、本発明のアンテナシステムの構成を説明するための概要図である。図１には第１アンテナ１０、第２アンテナ２０及びキャンセル装置３０が示されており、ラジオ４０に構成されるチューナに接続されている。ここで、本実施形態のように最終的に出力されるものはラジオに限られず、例えばテレビなどでも良い。
【００１３】
また、以下、図１では、第１アンテナ１０と第２アンテナ２０とは車両のボディに形成された窓開口部に設置された窓ガラスに設けられ、ノイズ源は窓ガラスの近傍に設置されている構成を前提として説明する。しかし、本実施形態に限定されず、第１アンテナ１０で受信する所定の周波数帯の放送波の電波が、前記第１アンテナと前記第２アンテナに同等に到達する位置であれば、第１アンテナ１０及び第２アンテナ２０の両方あるいはいずれか一方は、車両のいずれの箇所に設けられていても良い。例えば、車両のルーフ等に設けられるポールアンテナやマイクロポールアンテナ、車両のスポイラーに設けられたアンテナなどであっても良い。また、ノイズ源についても第１アンテナの受信信号にノイズが混入する位置に設けられれば、車両のいずれの位置に設置されていても良い。
【００１４】
第１アンテナ１０は、１５０ｋＨｚ〜３００ＭＨｚ（ＭＦ、ＨＦ、ＶＨＦ帯）内の所定の帯域の電波を受信可能に形成される放送波アンテナである。第１アンテナ１０は、車両のボディに形成された窓開口部に設置される窓ガラスに配置されているため、窓ガラスの近くにあるノイズ源から発生したノイズと、車外から到来する放送や無線通信のための電波（放送波）との両方を所定の受信電圧以上で受信する。図１では、第１アンテナで受信したノイズ信号をＮ１、電波信号をＳ１で表わしている。以後、電波信号Ｓ１とノイズ信号Ｎ１を合わせて述べる場合は、受信信号Ｓ１＋Ｎ１という。
【００１５】
ノイズと電波は、いずれも、１５０ｋＨｚ〜３００ＭＨｚ帯内の周波数を有している。ノイズを放射するノイズ源は、例えば、レーダーを有する衝突低減システムセンサや、カメラ、レインセンサ、カーナビゲーション装置及びそれらの出力ケーブル等があり、窓ガラスの近傍に配置されている。電波の具体例は１５０ｋＨｚ以上３００ＭＨｚ帯以下の周波数帯に含まれるＡＭ放送波等である。本明細書では、以後ＡＭ放送波を想定して説明する。
【００１６】
第２アンテナ２０は、第１アンテナ１０が設けられた窓ガラスの近傍に設置されたノイズ源からのノイズを受信するノイズ検知アンテナである。本実施形態では、第１アンテナ１０で受信する所定の周波数帯の放送波の電波が、第１アンテナ１０と第２アンテナ２０に同等に到達する位置として、第２アンテナ２０は第１アンテナ１０が設けられた窓ガラスに設けられる場合を想定して説明する。しかし、例えば窓ガラス周辺の車両のボディなどに設けられていても良い。また、第２アンテナ２０は、理想的には電波を全く受信しないことが望ましいが、第１アンテナ１０が設けられた窓ガラスに設けられ、第１アンテナ１０と同等に電波が到達する位置にあるため、ノイズと電波との両者を受信する可能性がある。第２アンテナ２０で受信した信号は、それぞれノイズ信号Ｎ２と電波信号Ｓ２で表わしている。以後、電波信号Ｓ２とノイズ信号Ｎ２を合わせて述べる場合は、受信信号Ｓ２＋Ｎ２という。
【００１７】
キャンセル装置３０は、第１アンテナ１０の受信信号から第２アンテナ２０のノイズ信号をキャンセルする。図１では、キャンセル装置３０として、位相反転器３１及び加算器３２が例示されている。キャンセル装置３０は、第１アンテナ１０で受信された受信信号Ｓ１＋Ｎ１と第２アンテナ２０で受信された受信信号Ｓ２＋Ｎ２のうち、一方の信号を反転させ、その反転させた信号ともう一方の信号とを足し合わせて合成する。
【００１８】
より詳しくは、図１では、第２アンテナ２０で受信された受信信号Ｓ２＋Ｎ２の位相が位相反転器３１で反転され、位相反転器３１から出力された、反転した受信信号｛−（Ｓ２＋Ｎ２）｝と第１アンテナ１０で受信された受信信号Ｓ１＋Ｎ１とが加算器３２で加算される場合を例示している。
【００１９】
ただし、アンテナシステム１において、第２アンテナ２０で受信されたＡＭ放送波の受信利得は、第１アンテナ１０で受信されるＡＭ放送波の受信利得と比較して低く、第１アンテナ１０で受信されたノイズの出力と第２アンテナ２０で受信されたノイズの出力とは同等になるように調整される。具体的には、第２アンテナ２０の電波信号Ｓ２は、第１アンテナ１０の電波信号Ｓ１に比べて小さく（Ｓ１＞＞Ｓ２）、ノイズは同等に受信するように調整し（Ｎ１≒Ｎ２）、第１アンテナ１０で受信した受信信号からノイズ信号をキャンセルさせ、合成信号Ｓを得る（（Ｓ１―Ｓ２）＋（Ｎ１−Ｎ２）＝Ｓ）（Ｓ≒Ｓ１）。ここで、理想的には、第２アンテナ２０は電波を受信しない、もしくは電波信号Ｓ２が電波信号Ｓ１と比較して十分に小さく、実質的に第１アンテナ１０で受信した受信信号から、ノイズ信号のみをキャンセルできることが望ましい。
【００２０】
このように、キャンセル装置３０は、第１アンテナ１０の受信信号から第２アンテナ２０のノイズ信号をキャンセルする。そしてノイズ信号Ｎ１が取り除かれた合成信号Ｓをラジオ４０のチューナに供給できるため、ノイズ信号Ｎ１によるＡＭ放送波帯内の電波の受信性能が低下することを抑制できる。
【００２１】
なお、キャンセル装置３０が信号を調整する際、ノイズの位相又は／及び振幅をそろえると好ましい。位相がずれると反転したときに一致しなくなるからである。ノイズの振幅（ピーク値）も揃うようにチューニングを行うのが、好ましい。
【００２２】
また、本実施形態では、第１アンテナ１０と第２アンテナ２０のＡＭ放送波の受信利得及びノイズの出力の調整は、第１アンテナ１０と第２アンテナ２０とが受信する信号の差によって調整する例を示したが、本実施形態に限定されない。例えば、キャンセル装置３０が第１アンテナ１０と第２アンテナ２０の少なくとも一方の受信信号を制御することで前述の調整を実現しても良い。また、第１アンテナ１０と第２アンテナ２０とが受信する信号の差によって調整する方法と、キャンセル装置３０によって調整する方法とを組み合わせて実現しても良い。
【００２３】
図２は、本発明の第１実施形態であるアンテナシステム１が設置された車両の窓ガラス周辺の構成例を模式的に示した図であり、窓ガラス６０がフロントガラスである場合を例示する。図２は車内側から見た車内視の図である。アンテナシステム１は、窓ガラス６０に設けられた第１アンテナ１０及び第２アンテナ２０と、キャンセル装置３０の一例である合成アンプ５０とを備えており、ラジオ４０に接続されている。
【００２４】
窓ガラス６０は、車両のボディ７０に形成されたボディフランジ７１に取り付けられている。窓ガラス６０の周縁６０ａは図２の点線で図示されている。ボディフランジ７１は、窓開口部を囲む窓枠であり、窓枠端を形成するフランジ端７１ａを有している。フランジ７１ａの内側の一点鎖線は窓ガラス６０に設けられた遮蔽部６１の内側の縁を示す。
【００２５】
本実施形態では、車両ボディ７０は金属製の場合を想定して述べるが、他の材料から作成されるものでもよい。例えば、樹脂などの絶縁性の材料やカーボン等でも良い。
【００２６】
図２において、ノイズ源９０は、ノイズ発生装置９１とノイズ発生装置９１に接続された出力ケーブル９２を有する。ノイズ発生装置９１は、窓ガラス６０の表面にブラケットを介して、取り付けられており、ノイズ発生装置９１は出力ケーブル９２の一端と接続され、出力ケーブル９２の他端は不図示の電子回路等と接続されている。ノイズ発生装置９１が設けられる場所は本実施形態に限定されず、窓ガラス６０の近傍に設置されていてもよい。窓ガラス６０の近傍とは、例えば、車体開口部の周辺に設けられていてもよく、車両ボディの天井部分などに設けられていても良い。
【００２７】
ノイズ源９０からは、１５０ｋＨｚ〜３００ＭＨｚ帯内の周波数帯のノイズが放射状に放出される。したがって、同一条件下ではノイズ源９０から離れるほどノイズは減衰する。この性質によって、同じ形状のアンテナを用いる場合は、ノイズ源９０からの距離が近いアンテナの方がノイズをより強く受信することとなる。
【００２８】
また、発生するノイズの波形及び放射するノイズの強度は、ノイズ発生装置９１と出力ケーブル９２とで異なる。すなわち、図２では、ノイズ発生装置９１と出力ケーブル９２はそれぞれ独立したノイズ源である。
【００２９】
ここで、出力ケーブル９２は、常にノイズ源であるとは限らない。同軸ケーブルを出力ケーブルに用いる等して、出力ケーブルがシールドされているような構成の場合、外部にノイズを放射しにくくなるため、ノイズ源とならない。以下、本実施形態の説明において、ノイズ源はノイズ発生装置９１のみである場合について説明する。
【００３０】
第１アンテナ１０は、窓ガラス６０の上側角部に設けられた第１の給電点１５と第１の給電点１５から延設される第１のアンテナ導体１７とを有する。第１アンテナ１０は、車外から到来するＡＭ放送波帯の電波に、車内のノイズ源９０からのＡＭ放送波と同じ周波数帯のノイズが混入した状態で、所定の受信電圧以上のＡＭ放送波帯の電波信号を第１の給電点１５から出力する。また、第１アンテナ１０は窓ガラス６０のいずれの位置に配置してもよい。
【００３１】
第１のアンテナ導体１７は、窓ガラス６０の表面又は窓ガラス６０内で延伸する線状導体であり、アンテナエレメント１１、１２、１３、１４を備える。図２において、第１の給電点１５と接続されたアンテナエレメント１１は、窓ガラス６０上部の隠蔽膜６１内を水平に延伸し、アンテナエレメント１２はアンテナエレメント１１と接続して垂直に延伸している。アンテナエレメント１３はアンテナエレメント１２と接続して隠蔽膜６１がない場所を隠蔽膜６１に沿って水平に延伸し、アンテナエレメント１４はアンテナエレメント１３と接続し、垂直に延伸している。アンテナでのＡＭ放送波の受信性能は、そのアンテナの形状によらず、導体長が長いほど、また給電点から離れる方向に延伸されるほど、高まる傾向があるため、第１のアンテナ導体１７の形状は本実施形態に特に限定されず、ＡＭ放送波が受信できる導体長及び給電点から離れる方向に延伸されていれば良い。
【００３２】
第２アンテナ２０は、窓ガラス６０の上側に設けられた第２の給電点２３と、第２の給電点２３から延設される第２のアンテナ導体２５とを有する。第２アンテナ２０は、第１アンテナ１０が設けられた窓ガラスに設けられるため、第２のアンテナ導体２５は、車外から到来するＡＭ放送波帯の電波と、ノイズ発生装置９１及び出力ケーブル９２からのＡＭ放送波帯と同じ周波数帯のノイズとの両方を受信し、受信信号を第２の給電点２３から出力する。
【００３３】
第２のアンテナ導体２５の導体長Ｌ２は、第１のアンテナ導体１７の導体長Ｌ１よりも短い。ＡＭ放送波帯の電波及びノイズの受信において、アンテナ導体の導体長が長いほど、それぞれの信号の受信性能は高まる傾向があるため、このように構成することで、ＡＭ放送波帯の電波及びノイズ源９０からのノイズを第１アンテナ１０よりも受信しにくくすることが可能である。先述の通り、後にキャンセルした際に十分なＡＭ放送波の受信利得を得るためには、第１アンテナ１０と第２アンテナ２０とのＡＭ放送波帯に対する受信電圧の差は５ｄＢ以上であると好ましい。受信電圧の差を５ｄＢ以上とするためには、第２のアンテナ導体２５の導体長は、第１のアンテナ導体１７の導体長の５０％以下であることが望ましい。第１のアンテナ導体１７と第２のアンテナ導体２５との導体長に関して詳細は後述する。
【００３４】
また、車両ボディ７０が金属製である場合、同一開口部の窓において、アンテナを車両ボディ７０（ボディフランジ７１）に近い位置に設けるほど、アンテナで受信した放送波の電波及びノイズの一部が車両ボディ７０（ボディフランジ７１）に漏れ出るため、それぞれから得られる信号の出力が低下する傾向がある。そのため、第２アンテナ２０は、第１アンテナ１０よりも車両ボディ７０（ボディフランジ７１）の近くに配置することにより、ＡＭ放送波及びノイズ源から得られる信号の出力を低下させることができる。具体的には、図２の第２アンテナ２０とフランジ端７１ａとの最近接距離Ｌ２０を第１アンテナ１０とフランジ端７１ａとの最近接距離Ｌ１０よりも短くすることが望ましい。
【００３５】
また、第２アンテナ２０は、第１アンテナ１０よりもノイズ発生装置９１に近い位置に設置されている。具体的には、第２のアンテナ導体２５とノイズ発生装置９１との最近接距離Ｌ４は、第１のアンテナ導体１７とノイズ発生装置９１との最近接距離Ｌ３よりも短い（Ｌ４＜Ｌ３）。好ましくは、Ｌ４はＬ３の８０％以下、より好ましくは５０％以下、さらに好ましくは２０％以下とすることが望ましい。このように第２アンテナ２０が第１アンテナ１０よりもノイズ発生装置９１に近い位置に設置されることで、ノイズ発生装置９１からノイズを受け易くなる。
【００３６】
例えば、第２アンテナ２０は、ノイズ発生装置９１から２１０ｍｍ以内、好ましくは１８０ｍｍ以内、より好ましくは１５０ｍｍ以内、さらに好ましくは１００ｍｍ以内の位置に配置され、かつ上記のＬ３とＬ４の関係を満たすようにすることが望ましい。
【００３７】
また、第２のアンテナ導体２５は、窓ガラス６０の表面又は窓ガラス６０内で延伸する線状導体２１を有し、線状導体２１よりも線幅の広い拡幅部２２を含む。このような拡幅部２２を設けると、導体長に依存するＡＭ放送波の受信感度はほとんど変えずに、ノイズ発生装置９１からのノイズは受信し易くすることが可能となる。また、拡幅部２２の大きさを調整することで、受信するノイズの強度を調整することが可能である。
【００３８】
以上説明したように、第２のアンテナ導体２５の導体長を短くすることでＡＭ放送波及びノイズが受信しにくくなり、第２アンテナ２０とボディフランジ７１との距離を短くすることでＡＭ放送波及びノイズ源から得られる信号の出力が低下し、第２アンテナ２０とノイズ源９０との距離を短くすること、及び第２のアンテナ２０に拡幅部２２を設けることでノイズが受信し易くなる。これらの手段を用いて、第２アンテナ２０で受信されるＡＭ放送波の受信利得は、第１アンテナ１０で受信されるＡＭ放送波の受信利得と比較して十分低く、第１アンテナ１０で受信されたノイズの出力と第２アンテナ２０で受信されたノイズの出力とは同等になるように調整できる。
【００３９】
ここで、上記の手段の全てを用いて調整する必要はなく、必要な手段のみを用いて、後にキャンセルした際に十分なＡＭ放送波の受信利得が得られれば良い。例えば、第２アンテナ２０とノイズ源９０との距離を近づける手段のみを用い、後は後述する合成アンプ等のキャンセル装置で受信電圧を調整して、第１アンテナ１０よりも第２アンテナ２０のＡＭ放送波の信号の電圧は低く、第１アンテナ１０と第２アンテナ２０とのノイズ信号の電圧は同等になるように調整しても良い。
【００４０】
なお、図２において、出力ケーブル９２からもノイズを発生していた場合、図２のように、第２アンテナ２０を出力ケーブル９２と平面視で重なるように位置すると好ましい。このように第２アンテナ２０を出力ケーブル９２と平面視で重なるように設置し、第２アンテナ２０と出力ケーブル９２との距離が、第１アンテナ１０と出力ケーブル９２との距離よりも近くなるように調整してもよい。さらに、図２では第２アンテナ２０の拡幅部２２が出力ケーブル９２と平面視で重なるように設ける。このような構成とすることで、出力ケーブル９２が発生するノイズをより受信し易くすることが可能となる。
【００４１】
第１の給電点１５及び第２の給電点２３は、導電性部材１６、２４を介して、合成アンプ５０の端子５１、５２に第１のアンテナ導体１７及び第２のアンテナ導体２５を接続するための給電点である。第１の給電点１５及び第２の給電点２３は、窓ガラス６０がボディフランジ７１に取り付けられたときに、ボディフランジ７１の近傍に設けると良い。また、本実施形態では第１の給電点１５及び第２の給電点２３は単極の場合を示すが、２つの給電部を備える双極であっても良い。導電性部材として、例えば、ＡＶ線や同軸ケーブルなどの給電線が用いられる。ＡＶ線を用いる場合には、一端を第１の給電点１５及び第２の給電点２３に接続し、他端を合成アンプ５０の端子５１、５２に接続する。同軸ケーブルを用いる場合には、同軸ケーブルの内部導体を給電点１５、２３に電気的に接続し、同軸ケーブルの外部導体を車両ボディ７０にアース接続すればよい。
【００４２】
また、第１の給電点１５及び第２の給電点２３に電気的に接続するためのコネクタを第１の給電点１５及び第２の給電点２３に設置してもよい。このようなコネクタによってＡＶ線や同軸ケーブルの内部導体を第１の給電点１５及び第２の給電点２３に取り付けることが容易になる。さらには、コネクタにアンプ等の信号処理回路を実装する構成を採用してもよい。また、第１の給電点１５及び第２の給電点２３に突起状の導電性部材を設置し、窓ガラス６０が取り付けられるボディフランジ７１に設けられた接続部にその突起状の導電性部材が接触、嵌合するような構成としてもよい。
【００４３】
第１の給電点１５及び第２の給電点２３の形状は、上記の導電性部材又はコネクタの実装面の形状に応じて決めるとよい。例えば、正方形、略正方形、長方形、略長方形などの方形状や多角形状が実装上好ましい。なお、円、略円、楕円、略楕円などの円状でもよい。
【００４４】
ところで、第１のアンテナ導体１７、第２のアンテナ導体２５、第１の給電点１５及び第２の給電点２３は、銀ペースト等の、導電性金属を含有するペーストを窓ガラス６０の車内側表面にプリントし、焼付けて形成される。しかし、この形成方法に限定されず、銅等の導電性物質からなる、線状体又は箔状体を、窓ガラス６０の車内側表面又は車外側表面に形成してもよく、窓ガラス６０に接着剤等により貼付してもよく、窓ガラス６０自身の内部に設けてもよい。また、導体層付き合成樹脂製フィルムを窓ガラス６０の車内側表面又は車外側表面に形成してガラスアンテナとしてもよい。さらに、アンテナ導体が形成されたフレキシブル回路基板を窓ガラス６０の車内側表面又は車外側表面に形成してガラスアンテナとしてもよい。
【００４５】
また、窓ガラス６０の面上に隠蔽膜６１を形成し、この隠蔽膜６１の上に給電点及びアンテナ導体の一部分又は全体を設けてもよい。隠蔽膜６１は黒色セラミックス膜等のセラミックスが挙げられる。この場合、窓ガラス６０の車外側から見ると、隠蔽膜６１により隠蔽膜６１上に設けられている第１のアンテナ導体１７、第２のアンテナ導体２５、第１の給電点１５及び第２の給電点２３の少なくとも一部分が車外から見えなくなる。よって、デザインの優れた窓ガラス６０となる。給電点とアンテナ導体の一部を隠蔽膜６１上に（隠蔽膜６１の縁と窓ガラス６０の縁との間に）形成させることで、車外視（及び車内視）において導体の細い直線部分のみを見ることになり、デザイン上好ましい。
【００４６】
合成アンプ５０は、第１アンテナ１０の受信信号から第２アンテナ２０のノイズ信号をキャンセルするキャンセル装置３０の一例である。合成アンプ５０は、第１アンテナ１０の受信信号から第２アンテナ２０のノイズ信号が取り除かれた受信信号を、端子５３を介して、ラジオ４０に対して出力する。
【００４７】
図３は、合成アンプ５０の第１の構成例を示した図である。本図の合成アンプ５０は、ＡＭアンプ（ＡＭ  Ａｍｐ）５５と、ＡＭアンプ５４と、位相反転器５７とを有するキャンセル装置であり、第１アンテナ１０の受信信号から第２アンテナ２０のノイズ信号を位相反転器５７によってキャンセルする。
【００４８】
ＡＭアンプ５５は、端子５２から入力される第１アンテナ１０の受信信号を増幅して出力する。ＡＭアンプ５４は、端子５１から入力される第２アンテナ２０のノイズ信号を増幅して出力する。位相反転器５７は、ＡＭアンプ５４の出力信号の位相を１８０°反転させた信号を出力する。合成アンプ５０は、ＡＭアンプ５５の出力信号と位相反転器５７の出力信号を合成した信号を合成信号として端子５３からラジオ４０に対して出力する。
【００４９】
なお、合成アンプ５０は、ＦＭアンプ（ＦＭ  Ａｍｐ）５６を有してもよい。ＦＭアンプ５６は、端子５２から入力される第１アンテナ１０で受信された受信信号を増幅し、増幅した信号を合成信号として端子５３からラジオ４０に対して出力する。
【００５０】
図４は、合成アンプ５０の第２の構成例を示した図である。上述の構成と同様の構成についての説明は省略する。本図の合成アンプ５０は、ＡＭアンプ５５と、ＡＭアンプ５４と、差動増幅器（Ｄｉｆｆ  Ａｍｐ）５８とを有するキャンセル装置であり、第１アンテナ１０の受信信号から第２アンテナ２０のノイズ信号を差動増幅器５８によってキャンセルする。
【００５１】
差動増幅器５８は、ＡＭアンプ５５の出力信号とＡＭアンプ５４の出力信号との電圧差を増幅し、増幅した信号を端子５３からラジオ４０に対して出力する。差動増幅器５８は、その差動増幅機能によって、第１アンテナ１０のノイズ信号の成分が取り除かれた信号を合成信号として出力する。
【００５２】
図５は、合成アンプ５０の第３の構成例を示した図である。上述の構成と同様の構成についての説明は省略する。本図の合成アンプ５０は、ＡＭアンプ５５と、ＡＭアンプ５４と、トランス８０とを有するキャンセル装置であり、第１アンテナ１０の受信信号から第２アンテナ２０のノイズ信号をトランス８０によってキャンセルする。
【００５３】
トランス８０は、１次側コイル８１と２次側コイル８２とを有する変圧器である。１次側コイル８１は、第１アンテナ１０の第１の給電点１５に、端子５２及びＡＭアンプ５５を介して接続される一方の端部と、第２アンテナ２０の第２の給電点２３に、端子５１及びＡＭアンプ５４を介して接続される他方の端部とを有している。２次側コイル８２は、端子５３を介してラジオ４０に接続される一方の端部と、グランドに接続される他方の端部とを有している。トランス８０は、第１アンテナ１０の受信信号が１次側コイル８１の一端に入力され第２アンテナ２０のノイズ信号が１次側コイル８１の他端に入力される。この構成により、第２アンテナ２０のノイズ信号の成分が取り除かれた信号を合成信号として２次側コイル８２から出力できる。
【００５４】
図６は、合成アンプ５０の第４の構成例を示した図である。上述の構成と同様の構成についての説明は省略する。本図の合成アンプ５０は、ＡＭアンプ５５と、ＡＭアンプ５４と、トランス８４とを有するキャンセル装置であり、第１アンテナ１０の受信信号から第２アンテナ２０のノイズ信号をトランス８４によってキャンセルする。
【００５５】
図６のトランス８４は、図５と同様、第２アンテナ２０のノイズ信号の成分が取り除かれた信号を合成信号として２次側コイル８２から出力できる。また、図６のトランス８４は、１次側コイル８１の中間部に接続されるセンタータップ８３を有し、センタータップ８３はグランドに接続されている。これにより、本図のトランス８４を、平衡−不平衡変換に使用でき、端子５３から同軸ケーブル等の不平衡線路で容易にラジオ４０に接続することができる。
【００５６】
また、本実施形態の構成において、合成アンプ５０による調整をしなくとも、アンテナの形状と配置を工夫することで、第２アンテナ２０のノイズの受信性能は、第１アンテナ１０のノイズ受信性能が略等しくなるように構成することができる。即ち、第２アンテナ２０からのノイズ出力が、第１アンテナ１０からのノイズ出力と同じ出力レベルになるように調整されている。これにより、第１アンテナ１０の第１の給電点１５から出力される受信信号に混入しているノイズ信号の電圧（ノイズ電圧）と第２アンテナ２０の第２の給電点２３から出力される受信信号のノイズ電圧とを略等しい値に近づけることができる。
【００５７】
このため、合成アンプ５０が第１アンテナ１０の受信信号と第２アンテナ２０の受信信号とを合成する際にノイズ電圧を調整する量を最小限に抑える又は無くすことができるので、合成アンプ５０のようなキャンセル装置３０の構成を簡易化できる。
【００５８】
あるいは、第１アンテナ１０のノイズ電圧と第２アンテナ２０のノイズ電圧とに差があっても、合成アンプ５０の受信電圧を調節してそれぞれのノイズ電圧を調整することで、良好なノイズキャンセル状態を作り出せる。
【００５９】
（第２実施形態）
図７は第２実施形態に係る構成を示した概略図である。図７に示すように、前述した図２に示した第１実施形態と同様の構成を有する部材については、図２の参照符号と同様の参照符号が使用されている。それら第１実施形態と同様の構成については説明を省略する。
【００６０】
第２実施形態においては、ノイズ源９０の出力ケーブル９３の取り回しが図２の第１実施形態とは異なる例を示している。より詳しくは、図２の出力ケーブル９２は窓枠から離れる方向に延伸していたが、図７ではノイズ源９０の出力ケーブル９３が窓枠に沿って延伸され、第１アンテナ１０に接近する。第２実施形態ではノイズ源はノイズ発生装置９１及び出力ケーブル９３の２つとして説明する。ノイズ発生装置９１と出力ケーブル９３はそれぞれ独立したノイズ源であるので、第２アンテナ２０は第１アンテナ１０よりもノイズ発生装置９１及び出力ケーブル９３のそれぞれに近い位置に設置されることが望ましい。
【００６１】
具体的に図７では、第１のアンテナ導体１７と出力ケーブル９３との最近接距離Ｌ５よりも、第２のアンテナ導体２５と出力ケーブル９３との最近近接距離Ｌ６が短く（Ｌ６＜Ｌ５）、第１のアンテナ導体１７とノイズ発生装置９１との最近接距離Ｌ３よりも、第２のアンテナ導体２５とノイズ発生装置９１との距離Ｌ４が短い（Ｌ４＜Ｌ３）。このように、Ｌ６＜Ｌ５かつＬ４＜Ｌ３の関係とすることで、第２アンテナ２０Ａがノイズ発生装置９１及び出力ケーブル９３のそれぞれからノイズを受け易くなる。
【００６２】
ここで、前述の通り、出力ケーブル９３は常にノイズを発しているとは限らない。出力ケーブル９３がノイズを発していない場合、図７のように、Ｌ６＜Ｌ５とＬ４＜Ｌ３の両者を考慮する必要はなく、あくまでノイズを発しているノイズ発生装置９１から支配的にノイズを受けるため、Ｌ４＜Ｌ３の関係のみを満たせば良い。この際、Ｌ６＞Ｌ５となっても良い。
【００６３】
（第２実施形態の変形例）
図８に第２実施形態の変形例を示す。第２の実施形態の変形例では、ノイズ発生装置９１から放射されるノイズの強度が出力ケーブル９３から放射されるノイズと比べて無視できるほど低い場合を示す。このような場合、出力ケーブル９３が第１アンテナ１０に対して支配的なノイズ源となる。したがって、図８ではＬ６＜Ｌ５として、第２アンテナ２０Ｂが、第１アンテナ１０に対して支配的なノイズ源である出力ケーブル９３からのノイズを受け易い構成としている。この際、第２アンテナ２０Ｂとノイズ発生装置９１との距離は第１アンテナ１０とノイズ発生装置９１との距離よりも長くても良い。このように、ノイズ発生装置９１と出力ケーブル９３とのノイズの発生強度に差があり、いずれかが支配的なノイズ源となる場合、第２アンテナ２０Ｂと支配的なノイズ源との距離を第１アンテナ１０と支配的なノイズ源との距離よりも短くすることが望ましい。
【００６４】
また、図８のように、例えば、第２アンテナ２０Ｂを窓ガラス６０ではなく、窓ガラス６０近傍、例えば車両ボディ７０上に設けても良い。この場合、車両ボディ７０が樹脂製など絶縁体であれば、第２アンテナ２０Ｂを直接車両ボディ７０に設け、車両ボディ７０が金属製など導体の場合には、粘着層などの誘電体を隔てて金属製の車両ボディに張り付けることができる。さらに、上述の実施形態において、第２アンテナ（２０、２０Ａ、２０Ｂ）が、窓ガラス６０又は車両ボディ７０に配置された例を示したが、窓ガラス６０又は車両ボディ７０（ボディフランジ７１を含む）にまたがって配置されてもよい。
【００６５】
このように窓ガラス６０近傍の車両ボディ７０に第２アンテナ２０Ｂを設けることで、第１アンテナで得られる受信信号から、窓ガラスに近い位置にノイズ源がある場合のノイズを低減させ、外部へノイズが減少した放送波の合成信号を出力できると共に、視認性の低い位置に第２アンテナを設けることができ、美観の点で優れる。
【００６６】
（実施例）
＜実施例１＞
（第１のアンテナ導体１７と第２のアンテナ導体２５の導体長）
ガラスアンテナが設けられた自動車用窓ガラスを実際の自動車に取り付けて、そのアンテナ利得を実測した結果について説明する。
【００６７】
ＡＭ放送波帯においては、電波を受信にはアンテナ導体のパターンよりも導体長が支配的な因子であるため、本実施例では給電点を窓ガラスの上側角部に設け、給電点から横方向に直線的にアンテナ導体を伸ばしたときの結果について以下に述べる。
【００６８】
まず、ＡＭ放送波帯を受信対象とするアンテナの特性について説明する。図９Ａは、アンテナ導体の導体長とアンテナ受信電圧の相対関係を示すグラフである。つまり、図９Ａは導体の長さに対する出力電圧変化の実測値を示すものであって、横軸はアンテナの導体長の実測値（単位：ｍｍ）、縦軸は受信電圧（単位：μＶ）を示す。
【００６９】
図９Ａから明らかなように、アンテナの受信能力は、波長に対して大幅に小さい車の窓開口部の場合、同一条件下において導体長が長いほど受信利得（受信能力）が上がり、反対に短ければ受信利得は低くなる。すなわち、導体長が長いアンテナは受信電圧の振幅が大きいため、車外から到来するＡＭ放送帯の電波とノイズともに受信しやすい。一方、導体長が短いアンテナでは、上記利得の違いにより、車外から到来するＡＭ放送帯の電波及びノイズが受信しづらい。
【００７０】
上記の特性から、第２のアンテナ導体２５の必要な導体長に関してより好ましい値について、図９Ｂ、図９Ｃ、図１０を用いて説明する。ＡＭ放送波で、実用上問題ない、合成損失を考慮した受信感度を得るためには、アンテナの受信電圧が２５μＶあることが好ましい。図９Ａより、アンテナの受信電圧が２５μＶになるためには、第１のアンテナ導体１７の導体長は４００ｍｍ以上必要となる。
【００７１】
また、合成損失を実用所定値以内に抑えるため、第１アンテナ１０と第２アンテナ２０との受信電圧の差は５ｄＢ以上あると好ましい。よって、図９Ｂは、図９Ａを基にし、第１アンテナ１０と第２アンテナ２０との受信電圧の差が５ｄＢになるような導体長の相関関係を示した図である。
【００７２】
図９Ｃは、図９Ｂの第２のアンテナ導体２５の導体長を第１のアンテナ導体１７の導体長の割合変換したものである。
【００７３】
ここで、図９Ｂ、図９Ｃより、第１のアンテナ導体１７の導体長が４００ｍｍのとき、第１アンテナ１０と第２アンテナ２０との間で５ｄＢの受信電圧の差を出すためには、第２のアンテナ導体２５の導体長は、第１のアンテナ導体１７の導体長の５０％以下であればいいことが分かる。
【００７４】
さらに図１０は、第１のアンテナ導体１７の導体長を変えたときの第１アンテナ１０と第２アンテナ２０の合成出力を示す。横軸は第１のアンテナ導体１７の導体長（単位：ｍｍ）、縦軸は合成されたＡＭ利得（単位：ｄＢμＶ）であり、凡例は第２のアンテナ導体２５の導体長の第１のアンテナ導体１７の導体長に対する割合を示す。図１０において、第１アンテナ１０と第２アンテナ２０とはノイズ源からの距離は同一とする。
【００７５】
合成利得（ゲイン）は最低実用感度として合成後の利得が２０ｄＢμＶ必要となる。図１０から明らかなように、第２アンテナ２０が第１アンテナ１０の長さに対して６０％のときは、最低実用感度の２０ｄＢμＶはほとんど超えていない。５０％以下であれば実用上問題ない２０ｄＢμＶ以上の感度を得ることができる。したがって、合成後の利得を考慮した場合であっても、第２のアンテナ導体２５の導体長は、第１のアンテナ導体１７の導体長の５０％以下であることが好ましい。
【００７６】
＜実施例２＞
（第２アンテナ２０とノイズ源９０との距離）
第２アンテナ２０とノイズ源との距離を変化させたとき、第１アンテナ１０と第２アンテナ２０との受信するノイズの波形の相似性（相関係数）及びノイズの強度（電界）をそれぞれ測定した。その結果を図１１に示す。なお、本実施例では、第２アンテナとノイズ源９０との距離Ｌ４が０ｍｍの時のノイズの強度を０ｄＢとして表記している。
【００７７】
図１１の横軸は第２アンテナ２０のノイズ源９０からの距離（単位：ｍｍ）を示し、縦軸は相関係数及びノイズの電界（単位：ｄＢ）を示す。また図１１中一点鎖線は相関係数を示し、実線は電界を示す。
【００７８】
図１１の結果より、相関係数は、第２アンテナ２０とノイズ源９０からの距離が３２０ｍｍ以上離れると０．７を下回ることが分かる。相関係数は、ノイズの波形の相似性を示すため、０．７以下だとノイズキャンセルの効果が薄れるため、０．７以上であることが好ましい。すなわち、相関係数の観点からは、第２アンテナ２０とノイズ源９０との距離は、３２０ｍｍ以内が好ましいことが分かる。
【００７９】
一方、電界は、第２アンテナ２０とノイズ源９０からの距離が２１０ｍｍ以上離れると−１５ｄＢを下回ることが分かる。電界は、ノイズの強度を示すため、第２アンテナ２０で第１アンテナ１０と同等のノイズを受けるためには、−１５ｄＢ以上とすることが好ましい。
【００８０】
以上より、相関係数と電界の両方の条件を満たすためには、第２アンテナ２０とノイズ源９０との距離は、２１０ｍｍ以内、好ましくは１８０ｍｍ以内、より好ましくは１５０ｍｍ以内、さらに好ましくは１００ｍｍ以内であることが望ましい。
【００８１】
＜実施例３＞
（ノイズキャンセルの効果）
図２で示した第１実施形態のガラスアンテナが設けられた自動車用窓ガラスを実際の自動車に取り付けて、そのアンテナ利得を実測した結果について説明する。図２で示した第１実施形態において、得られるアンテナ利得を測定した。その際の図２に示した各部の寸法は、単位をｍｍとすると、
第１のアンテナ導体（１１＋１２＋１３＋１４）の導体長Ｌ１：１１２０
第２のアンテナ導体の導体長Ｌ２：４０
第２のアンテナ導体の拡幅部２２の面積：１２ｘ２０
第１アンテナ１０とノイズ発生装置９１との距離Ｌ３：８４
第２アンテナ２０とノイズ発生装置９１との距離Ｌ４：２８
第１アンテナ１０とボディフランジ７１との距離Ｌ１０：２０
第２アンテナ２０とボディフランジ７１との距離Ｌ２０：２０
とした。
【００８２】
図１２Ａは車外から飛んできた電波についての第１アンテナ１０で受信した受信電圧の波形を表し、図１２Ｂは車外から飛んできた電波についての第２アンテナ２０で受信した受信電圧の波形を表し、図１２Ｃは、それらを、キャンセル装置を用いて足し合わせた後の出力電圧の波形を表す。図１２Ａ〜１２Ｃの横軸は周波数（単位：ｋＨｚ）、縦軸は受信電圧（単位：ｄＢμＶ）を表す。
【００８３】
図１２Ａ、１２Ｂにおいて、太線はノイズ源をＯＦＦにした際の第１アンテナ１０、第２アンテナ２０の受信電圧を示し、細線はノイズ源をＯＮにした際の第１アンテナ１０、第２アンテナ２０の受信電圧を示す。ここで、ノイズ源をＯＦＦにした状態とは、ノイズ源の駆動を停止させ、信号が接続させていないことを示す。また、ノイズ源をＯＮにした状態とは、ノイズ源を駆動させ、信号が接続されている状態のことを示す。
【００８４】
図１２Ｃにおいて、太線はノイズ源をＯＦＦにした際のキャンセル装置の出力電圧、点線はノイズ源をＯＮにした際のキャンセル装置の出力電圧を示す。
【００８５】
ノイズ発生装置９１がＯＦＦのとき、図１２Ａ〜１２Ｃでは受信した放送波のスペクトルが明確に現れている。この際、第２アンテナ２０が受ける放送波の受信電圧は、第１アンテナ１０が受ける放送波の受信電圧よりも低い。例えば、周波数が７００ｋＨｚ付近について、第１アンテナ１０の放送波の受信電圧の値は５５ｄＢμＶ、第２アンテナ２０での放送波の受信電圧の値は４０ｄＢμＶくらいである。このように、第２アンテナ２０は、第１アンテナ１０と比較して平均的に１５ｄＢμＶ低く放送波を受信している。
【００８６】
一方、ノイズ発生装置９１がＯＮのときは、第２アンテナ２０が受けた受信電圧と図１２Ａで示す第１アンテナ１０が受けた受信電圧とでは、ノイズ信号の波形（放送電波の特定のピーク以外の箇所）は、ほとんど変わらない。
【００８７】
図１２Ｃは図１２Ａと図１２Ｂとの電圧に基づき、合成した電圧波形を示す。図１２Ａ、図１２Ｂの細線と図１２Ｃの破線を比較すれば明らかなように、信号を合成することで、ノイズ発生装置９１をＯＮとしたときのノイズの出力電圧の値が大幅に減っている。図１２Ｃの例では、合成後のノイズのレベルを平均値で２０ｄＢμＶ程度下げることができ、ノイズキャンセルの効果が得られた。なお、このとき、第２アンテナ２０とノイズ発生装置９１との距離Ｌ４は、第１アンテナ１０とノイズ発生装置９１との距離Ｌ３の３３％であった。
【００８８】
以上のように、アンテナの形状や配置を工夫することで、第２アンテナ２０で受信されるＡＭ放送波の受信利得は、第１アンテナ１０で受信されるＡＭ放送波の受信利得と比較して低く、第１アンテナ１０で受信されたノイズの出力と第２アンテナ２０で受信されたノイズの出力とは同等になるように調整できる。
【００８９】
本発明のアンテナシステムによれば、放送波アンテナに近い位置にノイズ源がある場合に、放送波アンテナが受信した放送波の受信性能が低下することを抑制できる。
【００９０】
本発明は、例えば、特に長波放送帯（ＬＷ帯）（１５０〜２８０ｋＨｚ）、ＡＭ放送帯（ＭＷ帯）（５２０〜１７００ｋＨｚ）、短波放送帯（ＳＷ帯）（２．３〜２６．１ＭＨｚ）、日本のＦＭ放送帯（７６〜９０ＭＨｚ）、米国のＦＭ放送帯（８８〜１０８ＭＨｚ）、テレビＶＨＦ帯（９０〜１０８ＭＨｚ、１７０〜２２２ＭＨｚ）、北米及び欧州のテレビＶＨＦ帯（４５〜８６ＭＨｚ、１７５〜２２５ＭＨｚ）、デジタルオーディオ放送（Ｄｉｇｉｔａｌ  Ａｕｄｉｏ  Ｂｒｏａｄｃａｓｔｉｎｇ：ＤＡＢ）のバンドＩＩＩ帯（１７４〜２４０ＭＨｚ）に対して好適に用いられる。
【００９１】
以上、アンテナシステムを実施形態及び実施例により説明したが、本発明は上記実施形態及び実施例に限定されるものではない。他の実施形態及び実施例の一部又は全部との組み合わせや置換などの種々の変形及び改良が、本発明の範囲内で可能である。
【００９２】
本出願は、２０１３年１２月２０日に日本国特許庁に出願された特願２０１３−２６４５１０号に基づく優先権を主張するものであり、特願２０１３−２６４５１０号の全内容を本出願に援用する。
【符号の説明】
【００９３】
１  アンテナシステム
１０  第１アンテナ
１１、１２、１３、１４  アンテナエレメント
１５  第１の給電点
１６、２４  導電性部材
１７  第１のアンテナ導体
２０、２０Ａ、２０Ｂ  第２アンテナ
２１  線状導体
２２  拡幅部
２３  第２の給電点
２５  第２のアンテナ導体
３０  キャンセル装置
３１  位相反転器
３２  加算器
４０  ラジオ
５０  合成アンプ
５１、５２、５３  端子
５４、５５  ＡＭアンプ
５６  ＦＭアンプ
５７  位相反転器
５８  差動増幅器
６０  窓ガラス
６１  隠蔽膜
７０  車両ボディ
７１  ボディフランジ
８０、８４  トランス
８１  １次側コイル
８２  ２次側コイル
９０  ノイズ源
９１  ノイズ発生装置
９２、９３  出力ケーブル
Ｌ１  第１のアンテナ導体の導体長
Ｌ２  第２のアンテナ導体の導体長
Ｌ３  ノイズ発生装置と第１のアンテナ導体との最近接距離
Ｌ４  ノイズ発生装置と第１のアンテナ導体との最近接距離
Ｌ５  出力ケーブルと第１のアンテナ導体との最近接距離
Ｌ６  出力ケーブルと第２のアンテナ導体との最近接距離
Ｌ１０  第１アンテナ１０からボディフランジの基準線の距離
Ｌ２０  第２アンテナ２０からボディフランジの基準線の距離
【図１】
2015093490.tif 000003
【図２】
2015093490.tif 000004
【図３】
2015093490.tif 000005
【図４】
2015093490.tif 000006
【図５】
2015093490.tif 000007
【図６】
2015093490.tif 000008
【図７】
2015093490.tif 000009
【図８】
2015093490.tif 000010
【図９Ａ】
2015093490.tif 000011
【図９Ｂ】
2015093490.tif 000012
【図９Ｃ】
2015093490.tif 000013
【図１０】
2015093490.tif 000014
【図１１】
2015093490.tif 000015
【図１２Ａ】
2015093490.tif 000016
【図１２Ｂ】
2015093490.tif 000017
【図１２Ｃ】
2015093490.tif 000018
【国際調査報告】
2015093490.tif 000019
2015093490.tif 000020